(57)【要約】      （修正有）【課題】ストッパー部材を安定した状態で保持できる飲料用容器の栓体を提供する。【解決手段】容器本体１の上部開口部を覆う蓋本体部２０の上面に設けられる取り出し口２３０を開閉する開閉蓋２１と、開閉蓋２１に形成された係合爪２１ａと、開閉蓋２１を開放位置へ付勢するバネと、水平な支軸５周りに回転し、ロック位置とロック解除位置に切換動作するロック部材３とを備える。さらに、該ロック部材と一体形成され、係合爪２１ａと係合可能な被係合爪３０と、ロック部材３を付勢するバネ７と、水平な支軸６に対して上下方向にスライド移動し、ロック部材３がロック解除位置へ移動するのを阻止する阻止位置と、許容する許容位置に切り換え動作可能なストッパー部材４と、を備える。また、ストッパー部材４には、第２支軸６がガイドされるガイド孔が形成され、ストッパー部材４がスライド移動する時にクリック部４３が第２支軸６を乗り越えるように構成し、かつ、クリック部４３がストッパー部材４に一体形成される。【選択図】図３
0003171651.tif 000002
【実用新案登録請求の範囲】
【請求項１】
飲料用容器の容器本体の上部に取り付けられる栓体であって、
容器本体の上部開口部を覆うように形成される蓋本体部と、
この蓋本体部の上面に設けられる飲料取り出し口と、
この飲料取り出し口を開放する位置と閉鎖する位置に切り換え動作可能な開閉蓋と、
この開閉蓋を回転可能に軸支する蓋支持部と、
開閉蓋に形成された係合部と、
開閉蓋を前記開放する位置へ付勢する第１付勢部材と、
前記蓋本体部の側面に設けられ、水平に設定された第１支軸周りに回転可能であり、ロック位置とロック解除位置に切り換え動作可能なロック部材と、
このロック部材に一体形成され、前記ロック位置において前記係合部と係合可能な被係合部と、
ロック部材をロック位置に付勢する第２付勢部材と、
ロック部材の下方に設けられ、水平に設定された第２支軸に対して上下方向にスライド移動可能であり、前記ロック部材がロック解除位置へ移動するのを阻止する阻止位置と、ロック解除位置へ移動するのを許容する許容位置に切り換え動作可能なストッパー部材と、を備え、
前記ストッパー部材には、第２支軸がガイドされる上下長孔状のガイド孔が形成され、
前記ストッパー部材が阻止位置と許容位置の間を移動するときにクリック部が前記第２支軸を乗り越えるように構成し、かつ、前記クリック部がストッパー部材に一体形成されていることを特徴とする飲料用容器の栓体。
【請求項２】
前記ガイド孔は、ストッパー部材の左右に一対形成され、第２支軸がガイド孔の上端に位置する時が許容位置に相当し、ガイド孔の下端に位置する時が阻止位置に相当し、前記クリック部により第２支軸が許容位置と阻止位置の夫々で安定的に保持されるように構成されることを特徴とする請求項１に記載の飲料用容器の栓体。
【請求項３】
前記クリック部は、根元部分から片持ち梁的に上方に延びた弾性変形腕部を有しており、ストッパー部材がスライド移動する時に、この弾性変形腕部の先端部分が第２支軸により変形し、かつ、第２支軸を乗り越えることでクリック感触を出すように構成したことを特徴とする請求項１又は２に記載の飲料用容器の栓体。
【請求項４】
前記弾性変形腕部の先端部分には、第１係合面と第２係合面が形成されており、前記許容位置においては、ガイド孔の上端と第１係合面により第２支軸を保持し、前記阻止位置においては、ガイド孔の下端と第２係合面により第２支軸を保持するように構成したことを特徴とする請求項２を引用する請求項３に記載の飲料用容器の栓体。
【請求項５】
請求項１〜４のいずれか１項に記載の栓体を有する飲料用容器。
【考案の詳細な説明】
【技術分野】
【０００１】
本考案は、飲料が収容される容器本体の上部に着脱自在に装着される飲料用容器の栓体及びこれを有する飲料用容器に関するものである。
【背景技術】
【０００２】
マグボトル等の飲料用容器の容器本体の上部に取り付けられる栓体として、例えば、下記特許文献に開示される栓体が知られている。容器本体の上部の開口部には、ねじ機構により着脱自在な被嵌体（蓋本体部に相当）が取り付けられており、その上面に飲口部が形成されている。この飲口部を開閉するための開閉蓋が設けられており、開閉蓋を閉じた位置に係止するための解除押動部（ロック部材に相当）が設けられる。解除押動部を押すことで開閉蓋を開くことができるが、飲料用容器の携帯時に解除押動部に触れて、不意に開閉蓋が開いてしまい、場合によっては中身の飲料がこぼれることを防止するため、別にストッパー部（ストッパー部材に相当）が設けられている。
【０００３】
このストッパー部は、解除押動部に当接させることで、解除押動部の押動作動を阻止するものである。開閉蓋を開くときには、ストッパー部を下方にスライド移動させることで上記阻止状態を解除する。これにより、解除押動部を押すことができ、開閉蓋を開かせることができる。このように、ロック部材とストッパー部を設けることで、安全性を高めている。
【先行技術文献】
【特許文献】
【０００４】
【特許文献１】特許第４１４３３８３号
【考案の概要】
【考案が解決しようとする課題】
【０００５】
上記ストッパー部は、上下方向にスライド移動でき、上の位置（解除押動部の押動作動を阻止する阻止位置）と下の位置（解除押動部の押動作動を許容する許容位置）の間を移動することができる。上の位置でストッパー部をどのように保持するのかは上記特許文献１には明示されていないが、ストッパー部を解除押動部に当接させることで、摩擦力により保持するものと推定される。また、ストッパー部を解除押動部に当接させることで、ユーザーも上記阻止位置にストッパー部を移動したものと認識できる。
【０００６】
しかしながら、ストッパー部を解除押動部に当接させる構成では、安定的にストッパー部を阻止位置に保持しておくことは難しい。この点は、許容位置についても同様である。
【０００７】
本考案は上記実情に鑑みてなされたものであり、その課題は、簡易な構成で、ストッパー部材を安定した状態で所定の位置に保持することができる飲料用容器の栓体及びこれを有する飲料用容器を提供することである。
【課題を解決するための手段】
【０００８】
上記課題を解決するため本考案に係る飲料用容器の栓体は、
飲料用容器の容器本体の上部に取り付けられる栓体であって、
容器本体の上部開口部を覆うように形成される蓋本体部と、
この蓋本体部の上面に設けられる飲料取り出し口と、
この飲料取り出し口を開放する位置と閉鎖する位置に切り換え動作可能な開閉蓋と、
この開閉蓋を回転可能に軸支する蓋支持部と、
開閉蓋に形成された係合部と、
開閉蓋を前記開放する位置へ付勢する第１付勢部材と、
前記蓋本体部の側面に設けられ、水平に設定された第１支軸周りに回転可能であり、ロック位置とロック解除位置に切り換え動作可能なロック部材と、
このロック部材に一体形成され、前記ロック位置において前記係合部と係合可能な被係合部と、
ロック部材をロック位置に付勢する第２付勢部材と、
ロック部材の下方に設けられ、水平に設定された第２支軸に対して上下方向にスライド移動可能であり、前記ロック部材がロック解除位置へ移動するのを阻止する阻止位置と、ロック解除位置へ移動するのを許容する許容位置に切り換え動作可能なストッパー部材と、を備え、
前記ストッパー部材には、第２支軸がガイドされる上下長孔状のガイド孔が形成され、
前記ストッパー部材が阻止位置と許容位置の間を移動するときに、クリック部が前記第２支軸を乗り越えるように構成し、かつ、前記クリック部がストッパー部材に一体形成されていることを特徴とするものである。
【０００９】
この構成による飲料用容器の栓体の作用・効果を説明する。栓体は、容器本体の上部に取り付けられる。栓体は、飲料取り出し口が設けられた蓋本体部を有しており、この飲料取り出し口は、開閉蓋により開閉される。開閉蓋を閉じて飲料取り出し口を閉鎖する場合、ロック部材とによりロックされる。ロック部材は、ロック位置とロック解除位置に切り換え可能である。また、また、ストッパー部材が設けられており、阻止位置と許容位置に切り換え可能である。ストッパー部材が阻止位置にあるときは、ロック部材をロック位置からロック解除位置に切り換えることができない。ストッパー部材を許容位置に切り換えることで、ロック部材をロック解除位置に切り換えることができる。これにより、開閉蓋が開き方向に移動することができ、飲料取り出し口を露出させることができる。
【００１０】
また、ロック部材の下方にストッパー部材が配置されており、ロック部材は水平に設定された第１支軸周りに回転可能に取り付けられ、ストッパー部材は水平に設定された第２支軸に対して上下方向にスライド移動可能に取り付けられている。このストッパー部材が阻止位置と許容位置の間を移動する時にクリック部を第２支軸が乗り越えるように構成されている。従って、このクリック部を設けることで、ストッパー部材を阻止位置と許容位置で安定した状態で保持することができる。また、クリック部は、ストッパー部材に一体形成されている。従って、簡素な構成でクリック感触を実現することができる。その結果、簡易な構成で、ストッパー部材を安定した状態で所定の位置に保持することができる飲料用容器の栓体を提供することができる。
【００１１】
本考案に係る前記ガイド孔は、ストッパー部材の左右に一対形成され、第２支軸がガイド孔の上端に位置する時が許容位置に相当し、ガイド孔の下端に位置する時が阻止位置に相当し、前記クリック部により第２支軸が許容位置と阻止位置の夫々で安定的に保持されるように構成されることが好ましい。
【００１２】
上下長孔状のガイド孔に沿って第２支軸が相対的に移動する。ストッパー部材を下方に移動させた時は、第２支軸はガイド孔の上端に位置し、上方に移動させた時は、第２支軸はガイド孔の下端に位置する。それぞれの位置で、ストッパー部材はクリック部の機能により安定した状態で保持される。
【００１３】
本考案に係る前記クリック部は、根元部分から片持ち梁的に上方に延びた弾性変形腕部を有しており、ストッパー部材がスライド移動する時に、この弾性変形腕部の先端部分が第２支軸により変形し、かつ、第２支軸を乗り越えることでクリック感触を出すように構成したことが好ましい。
【００１４】
クリック部として、上記のように片持ち梁的に上方に延びた弾性変形腕部により形成することができる。この腕部が変形することで、第２支軸がクリック部を乗り越えることができる。このような弾性変形腕部をストッパー部材に一体形成することで、専用の部材を設けることなく、クリック機能を持たせることができる。
【００１５】
本考案において、前記弾性変形腕部の先端部分には、第１係合面と第２係合面が形成されており、前記許容位置においては、ガイド孔の上端と第１係合面により第２支軸を保持し、前記阻止位置においては、ガイド孔の下端と第２係合面により第２支軸を保持するように構成したことが好ましい。
【００１６】
かかる第１係合面と第２係合面を弾性変形腕部の先端部分に形成することで、ストッパー部材を阻止位置と許容位置の夫々で確実に保持することができる。
【図面の簡単な説明】
【００１７】
【図１】飲料用容器の外観構成を示す斜視図（開閉蓋を閉じた状態）
【図２】飲料用容器の外観構成を示す斜視図（開閉蓋を開いた状態）
【図３】ロック機構の構成を示す縦断面図
【図４】ロック機構の構成を示す分解斜視図
【図５】ストッパー部材の（ａ）側面図および（ｂ）中央断面図を示す拡大図
【図６】ロック解除した状態を示す栓体の縦断面図
【図７】ストッパー部材の動作を示す図
【考案を実施するための形態】
【００１８】
本考案に係る飲料用容器の栓体及びこれを有する飲料用容器の好適な実施形態を図面を用いて説明する。図１は、飲料用容器の外観構成を示す斜視図（開閉蓋を閉じた状態）を示し、図２は、飲料用容器の外観構成を示す斜視図（開閉蓋を開いた状態）を示す。
【００１９】
＜飲料用容器の外観＞
飲料用容器Ａは、容器本体１の上部に栓体２が取り付けられる。栓体２は、容器本体１の上部開口部を覆うように形成される第１蓋本体部２０と、容器本体１に収容される飲料の取り出し口（図１、図２では不図示）と、この飲料取り出し口（以下、「取り出し口」と省略）を開閉する開閉蓋２１を備えている。図１は、開閉蓋２１を閉じて取り出し口を閉鎖した状態であり、図２は、開閉蓋２１を開いて取り出し口を開放した状態である。
【００２０】
開閉蓋２１を閉じた状態に保持するためのロック機構Ｂが設けられており、主としてロック部材３と、このロック部材３の下方に設けられるストッパー部材４を備えている。ロック部材３の押圧部３０を押すことで、開閉蓋２１との係合状態を解除し、開閉蓋２１を開くことができる。開閉蓋２１はヒンジ軸２２周りに回転可能であり、開閉蓋２１を開き方向に付勢する不図示のコイルスプリング（第１付勢部材に相当）がヒンジ軸２２と同軸に設けられている。このヒンジ軸２２を構成する部分は、開閉蓋２２を回転可能に軸支する蓋支持部に相当する。
【００２１】
ストッパー部材４は、上下方向にスライド移動可能であり、ロック部材３によるロック解除を阻止する機能を有する。図１における上位置がロック部材３によるロック解除を阻止する阻止位置、下位置がロック解除を許容する許容位置に相当する。
【００２２】
＜ロック機構の構成＞
栓体２のロック機構Ｂの構成を説明する。図３は、ロック機構の構成を示す縦断面図である。図４は、ロック機構の構成を示す分解斜視図である。開閉蓋２１のヒンジ軸２２と反対側には、ロック部材３の被係合爪３１（被係合部に相当）と係合可能な係合爪２１ａ（係合部に相当）が形成されている。
【００２３】
ロック部材３は、水平に設定される第１支軸５周りに回転可能に軸支されている。ロック部材３の水平方向の左右両側には、第１支軸５を貫通させるための軸受部３２が設けられている。また、ロック部材３の裏面側には、圧縮コイルスプリング７（第２付勢部材に相当）が設けられる。この圧縮コイルスプリング７により、図３において、ロック部材３は第１支軸５周りに時計方向に付勢される。すなわち、ロック部材３の被係合爪３１が係合爪２１ａを係合（ロック）する方向に付勢する。
【００２４】
ロック部材３の押圧部３０を指で押すことにより、ロック部材３を第１支軸５周りに反時計方向に回転させることで、上記係合状態を解除することができる。係合を解除することで、開閉蓋２１はヒンジ軸２２の位置に配置されたコイルスプリングの付勢力により、開き方向に回転し、図２に示す状態になる。以上のように、ロック部材３は開閉蓋２１をロックしたロック位置（図３に示す位置）とロックを解除したロック解除位置に切り換え可能である。
【００２５】
図４には、蓋支持部２０が示されており、ロック部材３とストッパー部材４を配置するために、垂直に一体形成された一対のガイド壁２００を有する。一対のガイド壁２００の間に、ロック部材３やストッパー部材４を配置するための空間部が形成される。ガイド壁２００の上部側には、第１支軸５を取り付け支持するための支持穴２０１が形成される。突出部２０２は、ロック部材３の時計方向の回転を規制するものであり、ロック部材３の裏面側がこの突出部２０２に当接することで、これ以上時計方向に回転できないように構成される。バネ支持ボス２０３は、前述の圧縮コイルスプリング７を位置決めした状態で保持するためのものである。
【００２６】
ストッパー部材４は、水平に設定される第２支軸６に対して上下方向にスライド移動可能に取り付けられる。第２支軸６は、ガイド壁２００の下部側に形成された支持穴２０４により取り付け支持される。ストッパー部材４には、指で操作する操作部４０と、ロック部材３の操作を阻止する阻止部４１が一体形成されている。
【００２７】
図５は、ストッパー部材４の（ａ）側面図および（ｂ）中央断面図を示す拡大図である。ストッパー部材４の左右の両側面には、上下長孔状（長円状）のガイド孔４２が形成されている。このガイド孔４２が、第２支軸６に沿って相対的に上下方向に移動する。また、ストッパー部材４は左右方向の中央部でかつ裏面側に、弾性変形腕部として形成されているクリック部４３が一体形成される。クリック部４３は、根元部分４４から上方に片持ち梁的に伸びており先端部分は弾性変形することができる。先端部分には、第１係合面４３ａと第２係合面４３ｂが形成されている。第２支軸６が、先端部分の第１係合面４３ａまたは第２係合面４３ｂを乗り越えるときにクリック部４３が弾性変形し、クリック感触を出すようにしている。
【００２８】
ガイド孔４２とクリック部４３の側面から見た時の位置関係は図５（ａ）に示されている。長円状のガイド孔４２の左側端縁からクリック部４３の先端部分が少しのぞいている形になっている。ガイド孔４２の幅と第２支軸６の直径はほぼ同じ寸法であるので、第２支軸６が相対的にガイド孔４２の上端から下端（あるいはその逆）に移動する時に、クリック部４３の先端部分を左方向に移動させる（弾性変形させる）ことになる。
【００２９】
ストッパー部材４の左右両側は、ロック部材３と同様に一対のガイド壁２００によりガイドされる。また、ストッパー部材４の裏面側は、第１蓋本体部２０に形成されたガイド面２０５によりガイドされる。
【００３０】
図３に示す状態では、ストッパー部材４の阻止部４１は、ロック部材３の下部裏面側に入り込んでいる。従って、ロック部材３の押圧部３０を押しても阻止部４１が存在するため、ロック部材３を反時計方向に回転させることができない。すなわち、阻止部４１により、ロック部材３をロック位置からロック解除位置へと切り換え動作させることができない。
【００３１】
ストッパー部材４を下方にスライド移動させると、阻止部４１がロック部材３の裏面から退避するので、ロック部材３を回転操作できるようになる。従って、図３において示すストッパー部材４の位置は、ロック部材３がロック解除位置へ移動するのを阻止する阻止位置に相当し、下方に移動させた位置は、ロック解除位置へ移動するのを許容する許容位置に相当する。
【００３２】
また、図３において、ロック部材３とストッパー部材４とは必ず隙間が形成されている。すなわち、ストッパー部材４が阻止位置にあるとき、ロック部材３の最下面３ａと阻止部４１の上面４１ａには、わずかな隙間が形成され、ストッパー部材４を許容位置から阻止位置へ移動した時にストッパー部材４がロック部材３に当接しないように設定されている。また、阻止部４１の阻止面４１ｂもロック部材３の裏面に当接しないように設定されている。これにより、ストッパー部材４は、ロック部材３に干渉されることなく、上下方向にスライド移動することができる。
【００３３】
＜ロック機構以外の構成＞
次に、ロック機構Ｂ以外の構成について説明する。図４に示すように第１蓋本体部２０の内壁面には雌ねじ２０６が形成されている。この雌ねじ２０６は、容器本体１の上部外壁面に形成された雄ねじ１ａと螺合する。これにより、第１蓋本体部２０すなわち、栓体２は容器本体１に対して着脱自在に取り付けられる。
【００３４】
図４に示すように、第１蓋本体部２０は中央に開口部２０７が形成され、略円筒形となっている。また、ヒンジ軸２２が取り付けられる箇所にはヒンジ取り付け部２０８が形成される。上記開口部２０７には、飲料取り出し口２３０等が形成される第２蓋本体部２３が取り付けられており、第１蓋本体部２０と第２蓋本体部２３は、一体化した状態で結合される。これら第１蓋本体部２０と第２蓋本体部２３は、容器本体１の上部に取り付けられる蓋本体部に相当する。
【００３５】
第２蓋本体部２３の上部には円筒形の突出壁２３１が形成される。突出壁２３１は、ヒンジ側が低く、ロック機構側に行くほど徐々に高くなるように形成されている。突出壁２３１の内側に底面２３２が形成され、その底面２３２の前方側（ロック機構側）に飲料取り出し口２３０が形成される。飲料取り出し口２３０は、円形の開口孔として形成される。
【００３６】
飲料取り出し口２３０の後方側、ヒンジ部の前方側に弁機構８が設けられる。弁機構８は、上下動可能な弁体８０を備える。弁体８０は、底面２３２に形成された貫通孔２３３に上下方向に摺動可能に嵌合されている。弁体８０の下部にはパッキン部材８１が取り付けられている。また、弁体８０の上部にはバネ受け体８２が取り付けられており、底面２３とバネ受け体８２の間にコイルバネ８３が配置される。これにより、コイルバネ８３の付勢力で弁体８０は常時上方に付勢される。従って、パッキン部材８１が底面２３２の裏面をふさぐ形になるので、弁は閉じた状態になる。なお、バネ受け体８２の上面には、複数個の穴が形成されている。弁体８０が開いた時は、この穴を介して内部空間と連通するように構成される。
【００３７】
開閉蓋２１の裏面には、パッキン支持体２４が一体的に取り付けられており（図６参照）このパッキン支持体２４を覆うようにパッキン部材２５がはめ込まれている。パッキン支持体２４の飲料取り出し口２３０に対応する位置には突出部２４ａが形成されている。これに対応してパッキン部材２５にも突出部２５ａが形成される。図３に示すように、開閉蓋２１を閉じたときは、パッキン部材２５の突出部２５ａが飲料取り出し口２３０に嵌り込み、容器内部を密封している。
【００３８】
また、開閉蓋２１を閉じたとき、パッキン部材２５の前方側の天面部２５ｂは、突出壁２３１の上端面２３４に接しており、この部分を密封している（図３参照）。
【００３９】
この弁機構８は次のような場合に作用する。例えば、容器本体１の内部に熱い飲料を収容したとする。その後、開閉蓋２１を閉じて長い時間が経過すると、熱い飲料も徐々に冷めて来る。そうすると、内部圧力が低下するので開閉蓋２１が飲料取り出し口２３０の部分で吸引される方向に力が作用する。この状態でロック機構Ｂを解除しても、開閉蓋２１が引っ張られている状態なので、開閉蓋２１を開けにくい。そこで、上記のような弁機構を設けておけば、内部圧力が低下した時に、コイルバネ８３の付勢力に抗して弁体８０が下方に下がる。これにより、容器内部が弁体８０の外側と通じるので圧力が上昇し、開閉蓋２１を開けやすくなる。
【００４０】
第２蓋本体部２３の最下部に設けられたリンク溝には、リング状のＯリング９がはめ込まれる。栓体２を容器本体１に取り付けたときに、この部分を密閉する機能を果たす。
【００４１】
＜ロック機構の動作＞
次に、ロック機構Ｂの動作について説明する。図３の状態は、開閉蓋２１がロックされている状態である。すなわち、ロック部材３はロック位置にあり、開閉蓋２１の係合爪２１ａがロック部材３の被係合爪３１により係合されロックされた状態にある。ロック解除するためには、ロック部材３を操作してロック解除する必要がある。そのためには、ストッパー部材４を阻止位置から許容位置へと移動させる必要がある。そのためには、ストッパー部材４を図３の位置から下方で移動させる。図７は、ストッパー部材４と第２支軸６の関係を示す図である。
【００４２】
図３と同じ状態を図７（ａ）に示している。第２支軸６は、ガイド孔４２の下端とクリック部４３の第２係合面４３ｂにより保持されている。飲料用容器Ａを通常の姿勢で載置した時、ストッパー部材４には下方に向かう重力が作用し、下方に移動しようとするが、上記のようにクリック部４３で保持されているので、安定した状態で阻止位置に保持される。すなわち、ロック部材３の裏面側に阻止部４１が位置している。
【００４３】
次に、ストッパー部材４の操作部４０を指で操作して下方に移動させる。移動する途中で第２支軸６が第２係合面４３ｂに沿って相対的に移動し、クリック部４３を弾性変形させる。これを図７（ｂ）に示す。さらにストッパー部材４を下方に移動させると、第２支軸６は第２係合面４３ｂを乗り越え第１傾斜面４３ａに到達する。これを図７（ｃ）に示す。クリック部４３は、弾性復元力により元の姿勢に復帰する。この状態は、阻止部４１がロック部材３の裏面側から離脱し、ストッパー部材４が許容位置に位置している状態である。許容位置では、第２支軸６は、ガイド孔４２の上端とクリック部４３の第１係合面４３ａにより保持されている。これにより、許容位置においても、ストッパー部材４はクリック部４３により安定的に保持される。
【００４４】
図６は、ストッパー部材４を許容位置にスライド移動させてロック部材３によりロック解除を行った後の状態を示す図である。ロック部材３をロック解除位置に移動したときの状態は、図６に想像線で示している。
【００４５】
本考案のようなクリック部４３をストッパー部材４に一体形成することで、専用のクリック機構を設けることなく、クリック感触を得ることができる。
【００４６】
＜別実施形態＞
本実施形態では、蓋本体部を第１蓋本体部２０と第２蓋本体部２３の２つの部材に分けているが、これに限定されるものではなく、１つの部材で構成してもよく、３つ以上の部材で構成してもよい。
【００４７】
飲料取り出し口２３０の形状については、本実施形態のように単なる貫通孔の形状に限定されるものではない。例えば、筒状の突起部を形成して取り出し口としてもよい。
【００４８】
第１係合面４３ａと第２係合面４３ｂの具体的な形状は特定の形状に限定されるものではない。例えば、平面でもよいし曲面に形成してもよい。クリック感触等を考慮しながら、適宜決めることができる。
【符号の説明】
【００４９】
Ａ          飲料用容器
Ｂ          ロック機構
１          容器本体
２          栓体
３          ロック部材
４          ストッパー部材
５          第１支軸
６          第２支軸
７          圧縮コイルスプリング
２０        第１蓋本体部
２１        開閉蓋
２１ａ      係合爪
２３        第２蓋本体部
３０        押圧部
３１        被係合爪
４０        操作部
４１        阻止部
４２        ガイド孔
４３        クリック部
４３ａ      第１係合面
４３ｂ      第２係合面
４４        根元部分
２３０      飲料取り出し口
【図１】
0003171651.tif 000003
【図２】
0003171651.tif 000004
【図３】
0003171651.tif 000005
【図４】
0003171651.tif 000006
【図５】
0003171651.tif 000007
【図６】
0003171651.tif 000008
【図７】
0003171651.tif 000009